(57)【特許請求の範囲】
【請求項１】
無線システムにおける複数のデータストリームを含むデータを伝送する方法であって、
一つまたはそれ以上のデータストリームを受信するステップと、
受信した前記データストリームを一つまたはそれ以上の論理フレームにマッピングするステップと、
前記一つまたはそれ以上の論理フレームのそれぞれを一つより多くの追加物理スロットにマッピングするステップと、
前記データストリームを受信するためのシグナリング情報を含む前記一つより多くの追加物理スロットのそれぞれを構成するステップと、
物理スロット及び前記一つより多くの追加物理スロットを含む一つまたはそれ以上のスーパーフレームを伝送するステップと、を含む
ことを特徴とする無線システムにおけるデータを伝送する方法。
【請求項２】
前記データストリームは、ハンドヘルド端末のための放送データストリームである
ことを特徴とする請求項１に記載の方法。
【請求項３】
前記シグナリング情報は、Ｐ１、Ｌ１−ｐｒｅ、Ｌ１−Ｐｏｓｔ情報を含み、前記Ｌ１−Ｐｏｓｔ情報は、Ｌ１−ＣｏｎｆｉｇとＬ１−Ｄｙｎａｍｉｃ情報を含む
ことを特徴とする請求項１に記載の方法。
【請求項４】
前記Ｐ１及びＬ１−ｐｒｅ情報は、各追加物理スロットごとに割り当てられる
ことを特徴とする請求項３に記載の方法。
【請求項５】
無線システムにおける複数のデータストリームを含むデータを伝送する方法であって、
一つまたはそれ以上のデータストリームを受信するステップと、
受信した前記データストリームを追加物理スロットにマッピングするステップと、
前記データストリームを受信するためのシグナリング情報を含む前記追加物理スロット及び 物理スロットを含む一つまたはそれ以上の論理フレームを構成するステップと、
前記一つまたはそれ以上の論理フレームを一つまたはそれ以上の無線周波数を通じて伝送するステップと、を含み、
前記シグナリング情報は、Ｐ１、Ｌ１−Ｐｒe、Ｌ１−ｐｏｓｔ情報を含み、前記Ｌ１−ｐｏｓｔ情報はＬ１−ＣｏｎｆｉｇとＬ１−ｄｙｎａｍｉｃ情報を含み、
前記一つまたはそれ以上の論理フレームを一つの無線周波数を通じて伝送する場合に、
前記Ｌ１−ＣｏｎｆｉｇとＬ１−ｄｙｎａｍｉｃ情報は、前記論理フレームの前部分ごとに配置される
ことを特徴とする方法。
【請求項６】
無線システムにおける複数のデータストリームを含むデータを伝送する方法であって、
一つまたはそれ以上のデータストリームを受信するステップと、
受信した前記データストリームを追加物理スロットにマッピングするステップと、
前記データストリームを受信するためのシグナリング情報を含む前記追加物理スロット及び 物理スロットを含む一つまたはそれ以上のフレームを構成するステップと、
前記一つまたはそれ以上のフレームを一つまたはそれ以上の無線周波数を通じて伝送するステップと、を含み、
前記シグナリング情報は、Ｐ１、Ｌ１−Ｐｒe、Ｌ１−ｐｏｓｔ情報を含み、前記Ｌ１−ｐｏｓｔ情報はＬ１−ＣｏｎｆｉｇとＬ１−ｄｙｎａｍｉｃ情報を含み、
連続的な論理フレームが論理チャンネルを形成し、一つまたはそれ以上のフレームを一つより多くの無線周波数を通じて伝送し、一つより多くの論理チャンネルがある場合に、一つの論理チャンネルを主論理チャンネルとして設定し、残りの論理チャンネルを副論理チャンネルとして設定して、主論理チャンネルの論理フレームの前部分ごとに前記Ｌ１−ＣｏｎｆｉｇとＬ１−Ｄｙｎａｍｉｃ情報が配置され、副論理チャンネルの論理フレームの前部分ごとに前記Ｌ１−Ｄｙｎａｍｉｃ情報が配置される
ことを特徴とする方法。
【請求項７】
前記論理チャンネルは、一つ以上のスーパーフレームを含み、前記スーパーフレームは複数のフレームで構成され、副論理チャンネルのスーパーフレームの前部分ごとに前記Ｌ１−Ｃｏｎｆｉｇ情報が追加で配置される
ことを特徴とする請求項６に記載の方法。
【請求項８】
無線システムにおける複数のデータストリームを含むデータを伝送する方法であって、
一つまたはそれ以上のデータストリームを受信するステップと、
受信した前記データストリームを追加物理スロットにマッピングするステップと、
前記データストリームを受信するためのシグナリング情報を含む前記追加物理スロット及び 物理スロットを含む一つまたはそれ以上のフレームを構成するステップと、
前記一つまたはそれ以上のフレームを一つまたはそれ以上の無線周波数を通じて伝送するステップと、を含み、
前記シグナリング情報は、Ｐ１、Ｌ１−Ｐｒe、Ｌ１−ｐｏｓｔ情報を含み、前記Ｌ１−ｐｏｓｔ情報はＬ１−ＣｏｎｆｉｇとＬ１−ｄｙｎａｍｉｃ情報を含み、
前記Ｌ１−Ｐｒｅ情報は、Ｌ１−ＰｒｅとＬ１−Ｐｏｓｔ間のセルの数を示すＬ１＿ＯＦＦＳＥＴ＿ＴＩＭＥ、２個の連続するＮＧＨ（Next Generation Handheld）スロット間の間隔を示すＮＧＨ＿ＳＬＯＴ＿ＩＮＴＥＲＶＡＬ、現在のスロットで伝送されるＬＮＣ（Logical NGH Channel）のフレームを運搬する次のスロットのＲＦ周波数を示すＬ１＿ＯＦＦＳＥＴ＿ＦＲＥＱ、現在スロットと現在のＬＮＣのフレームを運搬する次のスロット間の間隔に対して表示するＬＮＣ＿ＯＦＦＳＥＴ＿ＤＥＬＴＡのうちいずれか一つ以上を含む
ことを特徴とする方法。
【請求項９】
無線システムにおける複数のデータストリームを含むデータを伝送する装置であって、
データストリームを一つまたはそれ以上の論理フレームで構成された一つまたはそれ以上の論理チャンネルにマッピングし、前記一つまたはそれ以上の論理フレームのそれぞれを一つより多くの追加物理スロットにマッピングする第１のゲートウェイと、
前記論理チャンネルに基づいて前記追加物理スロットに含まれるデータを生成する一つまたはそれ以上の第１の変調器と、
それぞれの前記追加物理スロットに含まれるデータを一つまたはそれ以上の第２の変調器に伝達する物理スロットエージェントと、
物理スロット及び前記追加物理スロットを含むスーパーフレームを変調及び伝送する一つまたはそれ以上の第２の変調器と、を含み、
前記追加物理スロットは、前記データストリームを受信するためのシグナリング情報を含む
ことを特徴とする無線システムにおけるデータを伝送する装置。
【請求項１０】
前記データストリームは、ハンドヘルド端末のための放送データストリームである
ことを特徴とする請求項９に記載の装置。
【請求項１１】
前記シグナリング情報は、Ｐ１、Ｌ１−ｐｒｅ、Ｌ１−ｐｏｓｔ情報を含み、前記Ｌ１−Ｐｏｓｔ情報は、Ｌ１−ＣｏｎｆｉｇとＬ１−ｄｙｎａｍｉｃ情報を含む
ことを特徴とする請求項９に記載の装置。
【請求項１２】
前記Ｐ１及びＬ１−ｐｒｅ情報は、各追加物理スロットごとに割り当てられる
ことを特徴とする請求項１１に記載の装置。
【請求項１３】
無線システムにおける複数のデータストリームを含むデータを伝送する装置であって、
データストリームを一つまたはそれ以上の論理フレームで構成された一つまたはそれ以上の論理チャンネルにマッピングする第１のゲートウェイと、
前記論理チャンネルに基づいて追加物理スロットに含まれるデータを生成する一つまたはそれ以上の第１の変調器と、
それぞれの前記追加物理スロットに含まれるデータを一つまたはそれ以上の第２の変調器に伝達する物理スロットエージェントと、
物理スロット及び前記追加物理スロットを含むフレームを変調及び伝送する一つまたはそれ以上の第２の変調器と、を含み、
前記追加物理スロットは、前記データストリームを受信するためのシグナリング情報を含み、
前記シグナリング情報は、Ｐ１、Ｌ１−Ｐｒe、Ｌ１−ｐｏｓｔ情報を含み、前記Ｌ１−ｐｏｓｔ情報はＬ１−ＣｏｎｆｉｇとＬ１−ｄｙｎａｍｉｃ情報を含み、
一つまたはそれ以上の前記フレームを一つの無線周波数を通じて伝送する場合に、前記Ｌ１−ＣｏｎｆｉｇとＬ１−Ｄｙｎａｍｉｃ情報は、前記論理フレームの前部分ごとに配置される
ことを特徴とする装置。
【請求項１４】
無線システムにおける複数のデータストリームを含むデータを伝送する装置であって、
データストリームを一つまたはそれ以上の論理フレームで構成された一つまたはそれ以上の論理チャンネルにマッピングする第１のゲートウェイと、
前記論理チャンネルに基づいて追加物理スロットに含まれるデータを生成する一つまたはそれ以上の第１の変調器と、
それぞれの前記追加物理スロットに含まれるデータを一つまたはそれ以上の第２の変調器に伝達する物理スロットエージェントと、
物理スロット及び前記追加物理スロットを含むフレームを変調及び伝送する一つまたはそれ以上の第２の変調器と、を含み、
前記追加物理スロットは、前記データストリームを受信するためのシグナリング情報を含み、
前記シグナリング情報は、Ｐ１、Ｌ１−Ｐｒe、Ｌ１−ｐｏｓｔ情報を含み、前記Ｌ１−ｐｏｓｔ情報はＬ１−ＣｏｎｆｉｇとＬ１−ｄｙｎａｍｉｃ情報を含み、
連続的な論理フレームは論理チャンネルを形成し、一つまたはそれ以上のフレームを一つより多くの無線周波数を通じて伝送し、一つより多くの論理チャンネルがある場合に、一つの論理チャンネルを主論理チャンネルとして設定し、残りの論理チャンネルを副論理チャンネルとして設定し、主論理チャンネルの論理フレームの前部分ごとに前記Ｌ１−ＣｏｎｆｉｇとＬ１−Ｄｙｎａｍｉｃ情報が配置され、副論理チャンネルの論理フレームの前部分ごとに前記Ｌ１−Ｄｙｎａｍｉｃ情報が配置される
ことを特徴とする装置。
【請求項１５】
無線システムにおける複数のデータストリームを含むデータを伝送する装置であって、
データストリームを一つまたはそれ以上の論理フレームで構成された一つまたはそれ以上の論理チャンネルにマッピングする第１のゲートウェイと、
前記論理チャンネルに基づいて追加物理スロットに含まれるデータを生成する一つまたはそれ以上の第１の変調器と、
それぞれの前記追加物理スロットに含まれるデータを一つまたはそれ以上の第２の変調器に伝達する物理スロットエージェントと、
物理スロット及び前記追加物理スロットを含むフレームを変調及び伝送する一つまたはそれ以上の第２の変調器と、を含み、
前記追加物理スロットは、前記データストリームを受信するためのシグナリング情報を含み、
前記シグナリング情報は、Ｐ１、Ｌ１−Ｐｒe、Ｌ１−ｐｏｓｔ情報を含み、前記Ｌ１−ｐｏｓｔ情報はＬ１−ＣｏｎｆｉｇとＬ１−ｄｙｎａｍｉｃ情報を含み、
前記Ｌ１−Ｐｒｅ情報は、Ｌ１−ＰｒｅとＬ１−Ｐｏｓｔ間のセルの数を示すＬ１＿ＯＦＦＳＥＴ＿ＴＩＭＥ、２個の連続するＮＧＨスロット間の間隔を示すＮＧＨ＿ＳＬＯＴ＿ＩＮＴＥＲＶＡＬ、現在のスロットで伝送されるＬＮＣ（Logical NGH Channel）のフレームを運搬する次のスロットのＲＦ周波数を示すＬ１＿ＯＦＦＳＥＴ＿ＦＲＥＱ、現在スロットと現在のＬＮＣのフレームを運搬する次のスロット間の間隔に対して表示するＬＮＣ＿ＯＦＦＳＥＴ＿ＤＥＬＴＡのうちいずれか一つ以上を含む
ことを特徴とする装置。
【請求項１６】
無線システムにおける複数のデータストリームを含むデータを受信する方法であって、
物理スロット及び一つより多くの追加物理スロットを含む一つまたはそれ以上のスーパーフレームを受信するステップと、
前記追加物理スロットに割り当てられたデータを用いて少なくとも一つの論理フレームを形成するステップと、
前記論理フレームのそれぞれの前記追加物理スロットの位置を獲得するステップと、
前記追加物理スロットに含まれる、前記データストリームを受信するためのシグナリング情報を獲得するステップと、
前記シグナリング情報を用いて前記追加物理スロットに割り当てられたデータストリームを受信するステップと、を含む
ことを特徴とする無線システムにおけるデータを受信する方法。
【請求項１７】
前記データストリームは、ハンドヘルド端末のための放送データストリームである
ことを特徴とする請求項１６に記載の方法。
【請求項１８】
前記論理フレームを形成するステップは、
前記論理フレームからデータストリームを抽出するステップと、を含む
ことを特徴とする請求項１６に記載の方法。
【請求項１９】
前記シグナリング情報は、Ｐ１、Ｌ１−ｐｒｅ、Ｌ１−Ｐｏｓｔ情報を含み、前記Ｌ１−Ｐｏｓｔ情報は、Ｌ１−ＣｏｎｆｉｇとＬ１−ｄｙｎａｍｉｃ情報を含む
ことを特徴とする請求項１６に記載の方法。
【請求項２０】
前記Ｐ１及びＬ１−Ｐｒｅ情報は、各追加物理スロットごとに割り当てられる
ことを特徴とする請求項１９に記載の方法。
【請求項２１】
無線システムにおける複数のデータストリームを含むデータを受信する方法であって、
物理スロット及び一つより多くの追加物理スロットを含む一つまたはそれ以上のスーパーフレームを受信するステップと、
前記追加物理スロットに割り当てられたデータを用いて少なくとも一つの論理フレームを形成するステップと、
前記論理フレームのそれぞれの前記追加物理スロットの位置を獲得するステップと、
前記追加物理スロットに含まれる、前記データストリームを受信するためのシグナリング情報を獲得するステップと、
前記シグナリング情報を用いて前記追加物理スロットに割り当てられたデータストリームを受信するステップと、
前記シグナリング情報は、Ｐ１、Ｌ１−Ｐｒe、Ｌ１−ｐｏｓｔ情報を含み、前記Ｌ１−ｐｏｓｔ情報はＬ１−ＣｏｎｆｉｇとＬ１−ｄｙｎａｍｉｃ情報を含み、
一つまたはそれ以上の前記スーパーフレームを一つの無線周波数を通じて伝送する場合に、前記Ｌ１−ＣｏｎｆｉｇとＬ１−Ｄｙｎａｍｉｃ情報は、前記論理フレームの前部分ごとに配置される
ことを特徴とする方法。
【請求項２２】
無線システムにおける複数のデータストリームを含むデータを受信する方法であって、
物理スロット及び一つより多くの追加物理スロットを含む一つまたはそれ以上のスーパーフレームを受信するステップと、
前記追加物理スロットに割り当てられたデータを用いて少なくとも一つの論理フレームを形成するステップと、
前記論理フレームのそれぞれの前記追加物理スロットの位置を獲得するステップと、
前記追加物理スロットに含まれる、前記データストリームを受信するためのシグナリング情報を獲得するステップと、
前記シグナリング情報を用いて前記追加物理スロットに割り当てられたデータストリームを受信するステップと、
前記シグナリング情報は、Ｐ１、Ｌ１−Ｐｒe、Ｌ１−ｐｏｓｔ情報を含み、前記Ｌ１−ｐｏｓｔ情報はＬ１−ＣｏｎｆｉｇとＬ１−ｄｙｎａｍｉｃ情報を含み、
連続的な論理フレームは論理チャンネルを形成し、一つまたはそれ以上のフレームを一つより多くの無線周波数を通じて伝送し、一つより多くの論理チャンネルがある場合に、一つの論理チャンネルを主論理チャンネルとして設定し、残りの論理チャンネルを副論理チャンネルとして設定し、主論理チャンネルの論理フレームの前部分ごとに前記Ｌ１−ＣｏｎｆｉｇとＬ１−Ｄｙｎａｍｉｃ情報が配置され、副論理チャンネルの論理フレームの前部分ごとに前記Ｌ１−Ｄｙｎａｍｉｃ情報が配置される
ことを特徴とする方法。
【請求項２３】
前記論理チャンネルは、一つ以上のスーパーフレームを含み、前記スーパーフレームは複数のフレームで構成され、副論理チャンネルのスーパーフレームの前部分ごとに前記Ｌ１−ｃｏｎｆｉｇ情報が追加で配置される
ことを特徴とする請求項２２に記載の方法。
【請求項２４】
前記Ｌ１−Ｐｒｅ情報は、Ｌ１−ＰｒｅとＬ１−Ｐｏｓｔ間のセルの数を示すＬ１＿ＯＦＦＳＥＴ＿ＴＩＭＥ、２個の連続するＮＧＨ（Next Generation Handheld）スロット間の間隔を示すＮＧＨ＿ＳＬＯＴ＿ＩＮＴＥＲＶＡＬ、現在のスロットで伝送されるＬＮＣ（Logical NGH Channel）のフレームを運搬する次のスロットのＲＦ周波数を示すＬ１＿ＯＦＦＳＥＴ＿ＦＲＥＱ、現在スロットと現在のＬＮＣのフレームを運搬する次のスロット間の間隔に対して表示するＬＮＣ＿ＯＦＦＳＥＴ＿ＤＥＬＴＡのうちいずれか一つ以上を含む
ことを特徴とする請求項２２に記載の方法。
【請求項２５】
無線システムにおける放送フレームを受信する装置であって、
一つより多くの追加物理スロットにマッピングされた一つまたはそれ以上の論理フレームを受信し、前記追加物理スロットに含まれたシグナリング情報を抽出する論理チャンネル選択器と、
ＲＦ信号を受信し、前記論理チャンネル選択器により抽出された前記シグナリング情報を用いて前記追加物理スロットに割り当てられたデータストリームを獲得する一つまたはそれ以上のＲＦ選択器と、を含み、
前記論理フレームは、物理スロット及び前記追加物理スロットを含む
ことを特徴とする無線システムにおける放送フレームを受信する装置。
【請求項２６】
前記装置は、
物理スロットを通じて伝送されたデータをデコーディングする一つまたはそれ以上のデコーディング部をさらに含む
ことを特徴とする請求項２５に記載の装置。
【請求項２７】
前記シグナリング情報は、Ｐ１、Ｌ１−Ｐｒｅ、Ｌ１−Ｐｏｓｔ情報を含み、前記Ｌ１−Ｐｏｓｔ情報は、Ｌ１−ＣｏｎｆｉｇとＬ１−Ｄｙｎａｍｉｃ情報を含む
ことを特徴とする請求項２５に記載の装置。
【請求項２８】
前記Ｐ１及びＬ１−ｐｒｅ情報は、前記追加物理スロットごとに割り当てられる
ことを特徴とする請求項２７に記載の装置。
【請求項２９】
一つまたはそれ以上の前記論理フレームを一つの無線周波数を通じて伝送する場合に、前記Ｌ１−ＣｏｎｆｉｇとＬ１−Ｄｙｎａｍｉｃ情報は、前記論理フレームの前部分ごとに配置される
ことを特徴とする請求項２７に記載の装置。
【請求項３０】
連続的な論理フレームは論理チャンネルを形成し、一つまたはそれ以上のフレームを一つより多くの無線周波数を通じて伝送し、一つより多くの論理チャンネルがある場合に、
一つの論理チャンネルを主論理チャンネルとして設定し、残りの論理チャンネルを副論理チャンネルとして設定し、主論理チャンネルの論理フレームの前部分ごとに前記Ｌ１−ＣｏｎｆｉｇとＬ１−Ｄｙｎａｍｉｃ情報が配置され、副論理チャンネルの論理フレームの前部分ごとに前記Ｌ１−Ｄｙｎａｍｉｃ情報が配置される
ことを特徴とする請求項２７に記載の装置。
【請求項３１】
前記Ｌ１−ｐｒｅ情報は、Ｌ１−ｐｒｅとＬ１−Ｐｏｓｔ間のセルの数を示すＬ１＿ＯＦＦＳＥＴ＿ＴＩＭＥ、２個の連続するＮＧＨスロット間の間隔を示すＮＧＨ＿ＳＬＯＴ＿ＩＮＴＥＲＶＡＬ、現在のスロットで伝送されるＬＮＣ（Logical ＮＧＨ Channel）のフレームを運搬する次のスロットのＲＦ周波数を示すＬ１＿ＯＦＦＳＥＴ＿ＦＲＥＱ、現在スロットと現在のＬＮＣのフレームを運搬する次のスロット間の間隔に対して表示するＬＮＣ＿ＯＦＦＳＥＴ＿ＤＥＬＴＡのうちいずれか一つ以上を含む
ことを特徴とする請求項２７に記載の装置。
【発明の詳細な説明】
【技術分野】
【０００１】
本発明は、一般的に無線システムに関し、特にデジタルビデオ放送システムでのデータストリームの伝送及び受信に対する方法及び装置に関するが、これに限定されない。
【背景技術】
【０００２】
デジタルビデオ放送システムのような無線システムは、フレーム構造で配列されたフレームのシーケンス形態でデータを伝送する。デジタルビデオ放送システムは、一般的にデジタルビデオ放送標準に従い、デジタル放送標準の例には、ＤＶＢ（Digital Video Broadcasting）、ＡＴＳＣ（Advanced Televisions Systems Committee）、ＩＳＤＢ（Integrated Services Digital Broadcasting）またはＤＭＢ（Digital Multimedia Broadcasting）などがある。各フレームは、一般的にプリアンブル区間及びデータ区間を含み、上記プリアンブル区間及びデータ区間は時間多重化される。上記データ区間は、物理階層パイプ（Physical Layer Pipe:ＰＬＰ）と呼ばれる複数のデータストリームが配列された形態で構成されることができる。物理階層パイプは、例えば、ユーザに提供されるビデオチャンネルのようなサービスを運搬することができる。フレームからのデータあるいはデータストリームはシグナリング情報を用いて受信される。上記シグナリングは、物理階層シグナリング（Physical Layer Signaling）または階層１（Layer１:Ｌ１）シグナリングと呼ばれる。上記シグナリングは、データを受信するために使用される変調またはコーディング方式を示すことができ、デコーディングされるデータフィールドの区間を示すか、データ区間内のデータストリームの位置など、データ受信に必要な情報を示すことができる。
【０００３】
デジタルビデオ放送（ＤＶＢ）標準を参照すると、デジタルビデオ放送標準フレーム構造は、将来の使用のために別に確保しておいたＤＶＢ物理フレーム構造内の物理スロットを提供することができる。例えば、地上波放送標準であるＤＶＢ−Ｔ２（Digital Video Broadcasting Terrestrial 2nd generation）は、複数のフレームで構成されたスーパーフレーム構造を有し、上記スーパーフレームあるいは各フレームのうちでＤＶＢ−Ｔ２信号を伝送しないスロットを含む。これを将来拡張フレーム（Future Extension Frame:ＦＥＦ）と称する。すなわち、ＦＥＦスロットは、既存の固定されたデジタルビデオ放送受信機により受信される信号の伝送のためのフレーム構造の一部に追加で提供されることができる。
【０００４】
現在確立中のモバイル放送受信のためのデジタルビデオ放送標準（Digital Video Broadcasting Next Generation Handheld:ＤＶＢ−ＮＧＨ）を参照すると、デジタルビデオ放送システムは、モバイル放送受信機及びハンドヘルド機器により受信される信号の伝送を提供することができる。このような信号は、例えば、固定された受信機により受信される信号よりも小さな帯域幅を有し、より強い（robust）変調及びコーディングを有することができる。
【０００５】
ハンドヘルド受信機により受信される信号の伝送のために、上記ＦＥＦスロットのような追加物理スロットの使用が提案された。一般的に、上記追加物理スロット内に上記物理スロットあるいはフレームを通じて伝送されるデータ受信のためのシグナリング情報が含まれる。
【０００６】
しかしながら、このようなシグナリング情報がそれぞれの物理スロット内に配置される方式は、短い物理スロット期間及び大きいシグナリングオーバーヘッドにより制限された容量を有することがある。また、このような方式は発生可能な上記制限された容量により、達成可能な統計的多重化利得が制限されることがある。
【発明の概要】
【発明が解決しようとする課題】
【０００７】
本発明は、従来技術のシステムが有した問題点を緩和する、無線システムにおけるデータストリーム送受信装置及び方法を提供する。
【０００８】
本発明は、短い物理スロット期間及び大きいシグナリングオーバーヘッドにより制限された容量を有し、制限された上記容量により多重化利得が制限されることがあるという問題点を解決する無線システムにおけるデータストリーム送受信装置及び方法を提供する。
【課題を解決するための手段】
【０００９】
上記のような目的を達成するために、本発明の実施形態の一態様によれば、無線システムにおける複数のデータストリームを含むデータを伝送する方法を提供する。上記方法は、一つまたはそれ以上のデータストリームを受信するステップと、受信した上記データストリームを追加物理スロットにマッピングするステップと、上記追加物理スロットを含む一つまたはそれ以上のフレームを構成するステップと、一つまたはそれ以上の上記フレームを一つまたはそれ以上の無線周波数を通じて伝送するステップと、を含むことを特徴とする。
【００１０】
本発明の実施形態の他の態様によれば、無線システムにおける複数のデータストリームを含むデータを伝送する装置を提供する。上記装置は、データストリームを一つまたはそれ以上の論理フレームで構成された一つまたはそれ以上の論理チャンネルにマッピングする第１のゲートウェイと、上記論理チャンネルに基づいてそれぞれの物理スロットに含まれるデータを生成する一つまたはそれ以上の第１の変調器と、それぞれの上記物理スロットに含まれるデータを一つまたはそれ以上の第２の変調器に分配する物理スロットエージェントと、分配された上記物理スロットデータを含むフレームを変調及び伝送する一つまたはそれ以上の第２の変調器と、を含むことを特徴とする。
【００１１】
本発明の実施形態のさらに他の態様によれば、無線システムにおける複数のデータストリームを含むデータを受信する方法を提供する。上記方法は、一つまたはそれ以上の無線周波数を通じて一つまたはそれ以上のフレームを受信するステップと、各フレームの追加物理スロットの位置を獲得するステップと、追加物理スロットに割り当てられたデータストリームを受信するステップと、を含むことを特徴とする。
【００１２】
本発明の実施形態のさらに他の態様によれば、無線システムにおける放送フレームを受信する装置を提供する。上記装置は、論理チャンネルに関連したシグナリング情報を抽出する論理チャンネル選択器と、ＲＦ信号を受信し、上記論理チャンネル選択器により選択された物理スロットを選択する一つまたはそれ以上のＲＦ選択器と、を含むことを特徴とする。
【００１３】
本発明による実施形態の上記及び他の態様、特徴、及び利点は、添付の図面と共に述べる以下の詳細な説明から、一層明らかになるはずである。
【図面の簡単な説明】
【００１４】
【図１】本発明の一実施形態による物理スロットを概略的に示した図である。
【図２】本発明の一実施形態における物理スロットに論理フレームをマッピングする過程を概略的に示した図である。
【図３】本発明の一実施形態による論理チャンネルを概略的に示した図である。
【図４】本発明の一実施形態による論理チャンネルにシグナリング情報をマッピングする過程を概略的に示した図である。
【図５】本発明の一実施形態における物理スロットに主論理チャンネル及び副論理チャンネルをマッピングする過程を概略的に示した図である。
【図６】本発明の一実施形態における３個のＲＦチャンネル上のＦＥＦスロットを概略的に示した図である。
【図７】本発明の一実施形態による３個の論理チャンネルの配列を概略的に示した図である。
【図８】本発明の一実施形態による物理スロットのシフティングを概略的に示した図である。
【図９】本発明の一実施形態による２個の論理チャンネルの配列を概略的に示した図である。
【図１０】本発明の一実施形態におけるＮＧＨフレームを概略的に示した図である。
【図１１】本発明の一実施形態におけるＮＧＨスーパーフレーム構成及びＴ２スーパーフレーム構成の整列を概略的に示した図である。
【図１２】本発明の一実施形態におけるＬ１−Ｐｒｅシグナリングフィールドを示す表である。
【図１３】本発明の一実施形態におけるＬ１−Ｃｏｎｆｉｇシグナリングフィールドを示す表である。
【図１４】本発明の一実施形態におけるＬ１−Ｄｙｎａｍｉｃ及びｉｎｂａｎｄシグナリングフィールドを示す表である。
【図１５】本発明の一実施形態における受信機のフローチャートである。
【図１６】本発明の一実施形態におけるネットワーク及び伝送部の構造図である。
【図１７】本発明の一実施形態におけるリピータの構造図である。
【図１８】本発明の一実施形態におけるリピータの構造図である。
【発明を実施するための形態】
【００１５】
本発明の実施形態は、２世代地上波デジタル放送システム（Digital Video Broadcasting Terrestrial 2nd generation:ＤＶＢ−Ｔ２）または現在確立しているデジタルビデオ放送次世代ハンドヘルド（Digital Video Broadcasting Next Generation Handheld:ＤＶＢ−ＮＧＨ）システムの例を通じて説明される。しかしながら、これはただの例示であるだけであり、他の実施形態は、他の無線放送システムまたはユニキャスト／マルチキャストシステムを含むことができ、本発明の実施形態がデジタルビデオ信号の伝送のための使用に限定されるものではないことを理解すべきである。
【００１６】
図１に示したように、既存のデジタルビデオ放送フレーム構造、例えばＤＶＢ−Ｔ２システムは、無線周波数チャンネルの伝送シーケンス（１）内にＦＥＦスロット２ａ、２ｂ、及び２ｃを提供することができる。ＦＥＦスロットは、ＦＥＦパートあるいはＦＥＦ部と称することもできる。ＦＥＦスロットは、ＤＶＢ−Ｔ２信号の伝送に使用されず、将来の使用のために別に確保しておいた物理スロットである。図１で、ＤＶＢ−Ｔ２データはＴ２−フレーム（８）を通じて伝送され、ＦＥＦスロットは、従来のＤＶＢ−Ｔ２受信機により受信される信号の伝送のためのフレーム構造の一部に追加で提供されることができる。
【００１７】
ハンドヘルド受信機、例えばＤＶＢ−ＮＧＨ受信機により受信される信号の伝送のために、既存のＤＶＢ−Ｔ２データが伝送されないＦＥＦスロットの使用が提案されている。この場合、ＦＥＦスロットの全体または一部がＮＧＨ信号の伝送に使用され、これをＮＧＨスロット（４）と称する。ＮＧＨスロットは、ＮＧＨパート、ＮＧＨ部とも称する。以下では、ＦＥＦスロットを通じて説明されるが、実質的にＮＧＨ信号はＦＥＦスロットの全体または一部であるＮＧＨスロットを通じて伝送される。このような方式の最も単純な例は、図１で“オプション１”（３）として示される。ＮＧＨ信号は、論理ＮＧＨチャンネル（３）上の論理ＮＧＨフレーム６ａ乃至６ｅで区分、伝送され、各論理ＮＧＨフレーム６ａ、６ｂ、６ｃは、独立したＦＥＦスロット２ａ、２ｂ、２ｃ内で伝送されることが分かる。言い換えれば、一つのＦＥＦスロットごとに一つの論理ＮＧＨフレームが割り当てられる。ＮＧＨデータを含むＮＧＨフレームは、物理的にＦＥＦスロットあるいはそれより大きくないＮＧＨスロットを通じて伝送されるので、論理ＮＧＨフレーム（Logical NGH Frame：ＬＮＦ）と称し、以下では、論理ＮＧＨフレーム、ＮＧＨフレーム、ＬＮＦと混用され説明される。また、ＮＧＨフレームが連続的に伝送されるチャンネルを論理ＮＧＨチャンネル（Logical NGH Channel：ＬＮＣ）と称し、以下では論理ＮＧＨチャンネル、ＮＧＨチャンネル、ＬＮＣと混用され説明される。論理ＮＧＨチャンネルは、物理的には複数の周波数及び時間に配置されて伝送されることができ、本発明の実施形態を通じて詳細に説明されるはずである。図１に示したように、論理ＮＧＨフレーム６ａは、ＦＥＦスロット２ａより大きくないが、小さいことできるＮＧＨスロット（４）を占有することができる。各論理ＮＧＨフレームは関連されたシグナリング情報を有する。これは、一般的に各ＦＥＦスロット内でプリアンブル７ａ、７ｂ、７ｃとして伝送されることができる。しかしながら、このような方式、すなわち各ＦＥＦスロットを通じて各論理ＮＧＨフレームを伝送して各論理ＮＧＨフレームごとにシグナリング情報を配置する方式は、高いシグナリングオーバーヘッドにより、制限された容量を有することがある。
【００１８】
本発明の第１の実施形態で、図１の“オプション２”（５）及び図２に示したように、論理ＮＧＨフレーム２７は、２個またはそれ以上のＦＥＦスロット２ａ、２ｂ、及び２ｃで構成され、論理ＮＧＨフレーム２７の長さがＦＥＦスロット２ａ、２ｂの長さより長いことがある。言い換えれば、２個またはそれ以上のＦＥＦスロットを通じて伝送されるデータを結合して一つの論理ＮＧＨフレームを構成することができ、これをＦＥＦバンドリング（bundling）と表現することができる。この場合、“オプション１”（３）のように、論理ＮＧＨフレームの長さがＦＥＦスロットの長さに制限される場合より、シグナリングオーバーヘッド、データ容量に対するシグナリング情報の比率を減少させることができる。複数の無線周波数（ＲＦ）チャンネルを用いて伝送する場合に、ＦＥＦスロットの長さが無線周波数チャンネル間で変わるにもかかわらず、上記二つまたはそれ以上のＦＥＦスロットは相異なる無線周波数チャンネルに対する伝送シーケンス内に存在し、論理フレームは固定長さを有するように配列されることができる。論理ＮＧＨフレームの長さは追加データへのアクセスを要請する受信機に対するシグナリングオーバーヘッドとデータ獲得時間を考慮（tradeoff）して最適の値で設定されることができる。
【００１９】
ＮＧＨ受信機により受信される信号は、一般的に物理階層パイプ（ＰＬＰ）であり、各種データストリームを含み、このようなデータストリームの第１のセットは、一般的に連続的な論理ＮＧＨフレーム上にマッピングされることができる。図１に示したように、本発明の一実施形態で、与えられた論理ＮＧＨフレーム２７は、ＦＥＦ部と呼ばれる２個またはそれ以上のＦＥＦスロットの少なくとも一部で伝送されることができる。図１の論理ＮＧＨフレームｊの場合、この論理ＮＧＨフレームｊは追加物理スロット１２ａ、１２ｂ、及び１２ｃと呼ばれる３個のＦＥＦスロットを通じて伝送されることが分かる。したがって、論理ＮＧＨフレームの長さは、ＦＥＦスロットの長さに対して独立的であり、論理ＮＧＨフレームは、データ容量に対するシグナリング情報の比率が、論理ＮＧＨフレームの長さが追加物理スロット（ＦＥＦスロット）の長さにより制限される場合（オプション１）よりも小さく構成されることができる。
【００２０】
図２に示したように、与えられた論理ＮＧＨフレーム２７は、一般的にシグナリング情報及びデータを含み、上記シグナリング情報は、一般的に“Ｐ１”（２０ａ及び２０ｂ）及び“Ｌ１−ｐｒｅ”（２２ａ及び２２ｂ）、“Ｌ１−Ｃｏｎｆｉｇ”（２４）、及び“Ｌ１−Ｄｙｎａｍｉｃ”（２５）を含む。“Ｐ１”、“Ｌ１−Ｐｒｅ”、“Ｌ１−Ｃｏｎｆｉｇ”、及び“Ｌ１−Ｄｙｎａｍｉｃ”は、本発明の詳細な説明で別に言及しない限り、“ＥＴＳＩ ＥＮ ３０２ ７５５”（ＤＶＢ−Ｔ２標準文書）の内容を参照して理解できるはずである。また、“Ｌ１−Ｃｏｎｆｉｇ”、及び“Ｌ１−Ｄｙｎａｍｉｃ”を通称して“Ｌ１−Ｐｏｓｔ”と称する。データ区間２３、２６、及び２８は、物理階層パイプを含む。例えば、上記物理階層パイプは、時間領域で重なることができ、周波数領域で多重化されることもできる。
【００２１】
本発明の第１の実施形態で、Ｐ１及びＬ１−ｐｒｅシグナリング情報２０ａ、２２ａ、２０ｂ、２２ｂなどは、ＦＥＦスロットであり得る、各追加物理スロット２ａ、２ｂごとに伝送され、上記シグナリング情報は、上記スロットの開始を示し、上記各追加物理スロットでの伝送を受信する時に使用される物理階層パラメータを含む。Ｌ１−Ｄｙｎａｍｉｃ及びＬ１−ＣｏｎｆｉｇのようなＬ１−Ｐｏｓｔシグナリング情報２４、２５などは、基本的にＮＧＨフレーム単位で伝送されるので、各追加物理スロットごとに伝送されないこともある。ペイロードデータのようなデータ１８ａ、１８ｂ、１８ｃ、１８ｄ、１８ｅ、及び１８ｆは、各追加物理スロット内で伝送されることができる。
【００２２】
Ｌ１−ｃｏｎｆｉｇは、Ｌ１−Ｃｏｎｆｉｇシグナリング情報が伝送される区間であり、Ｌ１−Ｃｏｎｆｉｇシグナリング情報は、一般的に複数のフレームで構成されるスーパーフレームの各フレームに対して有効な情報を含み、上記スーパーフレームの各論理ＮＧＨフレームに対して同一である。Ｌ１−Ｄｙｎａｍｉｃ情報は、一般的に、論理ＮＧＨフレームごとに多様であり、論理ＮＧＨフレーム内の物理階層パイプをデコーディングするための情報を含む。例えば、Ｌ１−Ｄｙｎａｍｉｃ情報は、一般的に上記物理階層パイプの開始アドレスを含むことができる。
【００２３】
上記シグナリング情報は、既存システムとの相互互換性及びシグナリングオーバーヘッドの程度、シグナリング情報の内容などを考慮して配置される。例えば、図２を参照すると、Ｐ１及びＬ１−Ｐｒｅ情報はＮＧＨスロットごとに伝送される。これは既存のＤＶＢ−Ｔ２システムとの相互互換性を考慮したものである。一方、Ｌ１−Ｃｏｎｆｉｇ情報及びＬ１−Ｄｙｎａｍｉｃ情報は、論理ＮＧＨフレームの開始または終了を考慮して、ＮＧＨスロット内の該当するシンボルの位置に配置される。図示しないが、Ｌ１−Ｃｏｎｆｉｇ情報のシグナリング情報の量が少ない場合、Ｌ１−Ｃｏｎｆｉｇ情報は、Ｐ１及びＬ１−Ｐｒｅ情報と共にＮＧＨスロットごとに伝送されることもできる。Ｌ１−Ｐｒｅ情報がＮＧＨスロットごとに配置されなくても、既存のシステム（Ｔ２）受信機とＮＧＨ受信機がそれぞれ既存信号（Ｔ２信号）及びＮＧＨ信号を受信することにおいて問題がないとすれば、Ｌ１−ｐｒｅ情報が論理ＮＧＨフレームの開始または終了に該当する位置に配置されることもできる。また、Ｌ１−Ｃｏｎｆｉｇ情報またはＬ１−Ｄｙｎａｍｉｃ情報のそれぞれは、含むシグナリング情報の内容によって削除可能である。
【００２４】
本発明の実施形態で、上述したように一連の追加物理スロット（ＦＥＦスロット）内のＮＧＨスロットは、共にバンドリングされ１セットのデータストリームを伝送するための論理ＮＧＨチャンネルを形成し、論理チャンネル内の一連の論理ＮＧＨフレームは、上記連続的な追加物理スロット、例えば、ＦＥＦスロット内にマッピングされる。上記一連の論理ＮＧＨフレームは、一つまたはそれ以上の無線周波数（ＲＦ）チャンネルを通じて伝送されることができる。単一無線周波数チャンネルを通じて伝送される場合、チューナは、上記一連の論理ＮＧＨフレームを受信するために追加物理スロットの間で、再度チューニングする必要がない。しかしながら、図３に示した第２の実施形態のように、複数の無線周波数ＲＦ１、ＲＦ２、ＲＦ３、及びＲＦ４チャンネルを通じて伝送する場合、すなわち、論理ＮＧＨチャンネルあるいは一連の論理ＮＧＨフレームのシーケンス（３０ａ、・・・、３０ｈ）が複数の無線周波数チャンネル上に属するように選択される場合、より大きい容量を有する論理チャンネルが形成されることができ、上記論理チャンネルは、また周波数ダイバーシティから利得を得ることができる。単一チャンネルはより小さなデータ容量を有した多重チャンネルのそれぞれに比べて、追加論理スロットのシーケンスデータ容量により、より大きいデータ容量を有するように形成されることができる。したがって、サービスが統計的多重化面で結果的に利得を有する上記単一チャンネル上に多重化されることができる。
【００２５】
図３に示したように、保護区間（guard interval）がシーケンス３０ａ、・・・、３０ｈの各追加物理スロットと以前の各追加物理スロットとの間に提供されると、上記各追加物理スロットの受信間にチューナの再チューニングを可能にするので、単一チューナがシーケンス受信に使用されることができる。例えば、単一チューナを用いてＲＦ１を通じて３０ａを受信した後、３０ｂを受信する前にＲＦ２でチューニングをすることができる。
【００２６】
また図３に示したように、第２の論理ＮＧＨチャンネルは、第２のセットのデータストリームを第２の連続的な論理ＮＧＨフレームにマッピングし、論理ＮＧＨフレームの第２のシーケンスを追加物理スロット、例えば、ＦＥＦスロットの第２のシーケンス３２ａ、・・・、３２ｈにマッピングすることにより形成されることができる。
【００２７】
図３に示したように、追加物理スロットの第２のシーケンス３２ａ、・・・、３２ｈは、上記追加物理スロットの第１のシーケンス３０ａ、・・・、３０ｈを含まなくてもよく、第２の論理チャンネルが単一チューナを使用して受信されることができる追加物理スロット以上のより多くの追加物理スロットを使用することができる。より多くの論理チャンネルが追加物理スロットのより多くのシーケンスにより提供されることができる。
【００２８】
一つ以上の論理チャンネルが提供される場合、論理チャンネル中の一つは、主ＮＧＨチャンネル（Primary NGH Channel:ＰＮＣ）と呼ばれる主論理チャンネルとして指定されることができ、残りは副ＮＧＨチャンネル（Secondary NGH Channel:ＳＮＣ）と呼ばれる副論理チャンネルとして指定されることができる。上記主論理チャンネルは、より大きい堅固性、より大きい容量、物理スロット間のより短い間隔、及び／またはより低いオーバーヘッドのために選択された物理スロットから形成されることができ、上記主論理チャンネルは、受信機による信号をまず獲得するか、速いチャンネル転換（fast zapping）をするために使用されることができる。上記主論理チャンネルは、Ｌ１−Ｃｏｎｆｉｇ情報を伝達して副論理チャンネルにより提供されるサービスを獲得することができるようにする。すなわち、主論理チャンネルは、副論理チャンネルにより提供されるサービスへのエントリポイント（entry point）役割を担当する。したがって、副論理チャンネル上で運搬されるサービスへのアクセスを要請する受信機は、Ｌ１−Ｃｏｎｆｉｇ情報を提供して副論理チャンネルまたはより多くの論理チャンネルにより提供されるサービスの獲得を可能にする上記主論理チャンネルをまず受信することができる。結果的に、副論理チャンネルのフレームごとではなく、主論理チャンネルのフレームごとにＬ１−Ｃｏｎｆｉｇ情報を伝達すればよく、これは第２及びより多くのチャンネルのシグナリングオーバーヘッドを減らし、データ容量を増加させる。
【００２９】
Ｌ１−Ｃｏｎｆｉｇ情報は、一つまたはそれ以上の複数のデータストリームの構成を指示することができ、上記主論理チャンネルにマッピングされる各論理フレームにより運搬され、データストリームにアクセスするとき、遅延を減らすことができる。また、Ｌ１−Ｃｏｎｆｉｇ情報は、副論理チャンネルのスーパーフレームでの最初の論理フレームにより運搬されることができる。これは複数のフレームの集合であるスーパーフレーム単位で変更され得るシステムパラメータがあり得るからであり、この場合にも上記副論理チャンネルでの最初の論理フレームを除外した他の論理フレームにより必ず運搬される必要はないので、シグナリングオーバーヘッドを減少させることができる。
【００３０】
本発明の一実施形態で、Ｌ１−Ｃｏｎｆｉｇ情報は、上記主及び副論理チャンネルを形成する追加物理スロットのシーケンスに関する情報を含むことができる。
【００３１】
反面、Ｌ１−ｄｙｎａｍｉｃ情報は、上記主論理チャンネル及び副論理チャンネルの各論理フレームごとに含まれることができ、Ｌ１−Ｄｙｎａｍｉｃ情報は、各論理チャンネルに関する情報だけを運搬することができ、シグナリングオーバーヘッドを減らすことができる。
【００３２】
主及び副チャンネル内の構成情報（例えば、Ｌ１−ｃｏｎｆｉｇ）及び動的シグナリング情報（例えば、Ｌ１−Ｄｙｎａｍｉｃ）の配列は図４に図示されている。Ｌ１−Ｄｙｎａｍｉｃシグナリングは、主論理チャンネル（ＰＮＣ）及び副論理チャンネル（ＳＮＣ）を含むすべての論理チャンネルのそれぞれにより運搬される反面、Ｌ１−Ｃｏｎｆｉｇシグナリングは、主論理チャンネル（ＰＮＣ）によって主に運搬されることが分かり、点線はＬ１−ｃｏｎｆｉｇシグナリングが１サブセットの副論理チャンネル（ＳＮＣ）のフレーム（例えば、ＳＮＣのスーパーフレームの最初のフレーム）のみによって運搬されることを示す。図４はまたＰＮＣ及びＳＮＣ論理チャンネルのそれぞれが複数のＲＦチャンネル上のＦＥＦスロットを含むことを示す。
【００３３】
第３の実施形態は、一つの論理チャンネルを生成する第２の実施形態とは異なり、複数の論理チャンネルを生成する場合に対したものである。図５は、主論理チャンネルを形成するデータフレーム５２のシーケンス及び副論理チャンネルを形成するデータフレーム５４のシーケンスが３個のＲＦチャンネル５６、５７、及び５８上のＦＥＦスロット内にマッピングされる方法を示す。
【００３４】
主論理チャンネル５２の場合には、各論理ＮＧＨフレームの開始または終了の位置と関連したＮＧＨスロット内のシンボルの位置にＬ１−Ｃｏｎｆｉｇ情報とＬ１−Ｄｙｎａｍｉｃ情報が配置される。反面、副論理チャンネル５４の場合には、各論理ＮＧＨフレームの開始または終了の位置と関連したＮＧＨスロット内のシンボルの位置にＬ１−Ｄｙｎａｍｉｃ情報のみが配置される。また図５の場合から見ると、主論理チャンネル５２の第１、第２、第３のＮＧＨスロットがそれぞれＲＦ１（５６）、ＲＦ２（５７）、ＲＦ３（５８）を通じて伝送され、第１、第２、第３のＮＧＨスロットは、（ｉ−１）番目の論理フレームの一部、（ｉ）番目の論理フレームの全体及び（ｉ＋１）番目の論理フレームの一部を含んでいる。（ｉ−１）、（ｉ）、（ｉ＋１）番目の論理フレームの境界は、Ｌ１−Ｃｏｎｆｉｇ情報及びＬ１−Ｄｙｎａｍｉｃ情報の位置から決定される。また副論理チャンネル５４の第１、第２、第３のＮＧＨスロットは、それぞれＲＦ３（５８）、ＲＦ１（５６）、ＲＦ２（５７）を通じて伝送され、第１、第２、第３のＮＧＨスロットは、副論理チャンネルの（ｉ−１）番目の論理フレームの一部と（ｉ）番目の論理フレームの一部を含んでいる。（ｉ−１）と（ｉ）番目の論理フレームの境界は、Ｌ１−Ｄｙｎａｍｉｃ情報の位置から決定される。
【００３５】
一般的に、与えられたスーパーフレームに対する各論理フレームは、同じ数の直交周波数分割多重化（Orthogonal Frequency Division Multiplexing）シンボルを有する。
【００３６】
デジタルビデオ放送システムは、リピータ（repeaters）またはギャップフィラー（gap fillers）を含み、主伝送器アンテナからの伝播が弱い地域でカバレッジを提供する。本発明の一実施形態で、リピータまたはギャップフィラーでの再伝送のために、少なくとも一つの論理チャンネルを形成する物理スロットは、固定の受信機により受信されるデジタルビデオ放送信号のような、他の受信データより優先的に選択される。追加データがハンドヘルド機器により受信されることができるので、上記追加物理スロット内で受信されたデータだけが再伝送される必要があるので、上記リピータの効率を向上させることができる。上記ハンドヘルド機器は、屋上アンテナを有することができる固定の受信機により受信されることができる物理フレーム構造内で伝送される第１のデータの受信のために必要な信号よりももっと強い信号を必要とすることができる。また、各論理チャンネルに対して、単一チューナだけがリピータで要求されることができる。
【００３７】
伝送された論理チャンネルの数は、同時に伝送された追加物理スロット、例えば、ＦＥＦスロットの最大数によって変わることができる。これは図６及び図７に示される。図６で、ＦＥＦスロットのシーケンスは３個のＲＦチャンネル６０、６２、及び６４上で利用可能であることが分かり、これは論理チャンネルの数は０と３（同時に伝送されるＦＥＦスロットの最大数）間の数であることを下部のタイムライン６６から分かる。すなわち、上述した実施形態では各ＲＦで使用されるスーパーフレームの構造が同一であったが、図６の実施形態では各ＲＦが異なるスーパーフレームの構造を有する。このような構造下では、各ＲＦに割り当てられるＦＥＦスロットの個数、長さ及び位置が異なることができ、全体ＲＦで伝送されるデータ（例えば、ＤＶＢ−Ｔ２データとＤＶＢ−ＮＧＨデータ）対比ＦＥＦスロットを通じて伝送されるデータ（例えば、ＤＶＢ−ＮＧＨデータ）の比率、あるいはＤＶＢ−Ｔ２データ対比ＤＶＢ−ＮＧＨデータの比率も各ＲＦ別に異なることができる。図７で、３個の論理チャンネル７０、７２、及び７４は、図示したように周波数ホッピング方式でこのようなＦＥＦスロットから形成されることができることが分かる。また図７から分かるように、論理チャンネルの最大個数は、重なるＦＥＦスロットの数と関連がある。また、各論理チャンネルは、上述したように主論理チャンネル（ＰＮＣ）と副論理チャンネル（ＳＮＣ）を形成することができる。
【００３８】
図８に示したように、１セットのＲＦチャンネル８０、８２、８４及び８６上でのＦＥＦスロットのタイミングオフセットは、ＦＥＦスロット間の重複を減らすように配列されることができる。したがって、時間領域でのＦＥＦスロットがより均一に分布されることができ、これによって、各論理チャンネルの容量は増加し、利用可能な追加スロットを使用するために必要な論理チャンネルの数は減少することができる。図８に示したように、同時に伝送されるＦＥＦスロットの最大数は、４個のＲＦチャンネル間の適切なタイミングオフセットにより２個に減少することができる。したがって、２個の論理チャンネル９０及び９２が図９に示したように主論理チャンネル９４及び副論理チャンネル９６で形成されることができる。
【００３９】
本発明の実施形態は、これからより詳細に説明される。
【００４０】
従来技術のシステムで、高画質（High Difinition:ＨＤ）及び３次元（three dimensional:３Ｄ）サービスなどのような、主に固定の受信機により受信される既存のＤＶＢ−Ｔ２サービスの大容量要件により、ＮＧＨで使用されるＲＦチャンネル当たり帯域幅の量は、一般的に非常に小さい（大部分の場合、ＦＥＦ_ｌｅｎｇｔｈ＜２０％）。すなわち、既存のＤＶＢ−Ｔ２で使用するデータ量が多いので、伝送すべきＴ２フレームが多いほど、ＤＶＢ−ＮＧＨデータ伝送のために使用可能なＦＥＦが少なくなり、結局、Ｔ２ ＲＦチャンネル当たりＮＧＨサービスの数が非常に小さくて（３−５ＴＶ及びラジオプログラム）、統計的多重化により達成され得る利得が制限される。追加で、各フレームの端に挿入されるパディング（padding）オーバーヘッドは、フレームが短いほど大きくなる可能性がある。Ｔ２サービスのザッピング（zapping）時間（新たなサービスを受信するための時間）に影響を与えないために、短いＦＥＦが使用されることができる（ＦＥＦ_ＩＮＴＥＲＶＡＬ≦２）。この場合、ＮＧＨ Ｌ１シグナリングオーバーヘッドが非常に大きくなることができる。物理階層パイプ（ＰＬＰ）の数が増加する場合、主要オーバーヘッドがＬ１−Ｐｏｓｔシグナリング情報（Ｌ１−Ｃｏｎｆｉｇ及びＬ１−Ｄｙｎａｍｉｃ）により発生することができる。
【００４１】
本発明の実施形態は、ＦＥＦスロットを通じて伝送されるデータをバンドリングして一つまたはそれ以上の論理ＮＧＨチャンネルを提供することにより、このような問題を解決する。本発明の第１の実施形態は、図１に“オプション２”（５）で示したように新たなフレームフォーマットを導入する。Ｐ１シンボルは、ＮＧＨスロットの開始を示す。さもないと、既存のＴ２受信機は、Ｔ２信号を受信することができないこともある。
【００４２】
図１の“オプション１”（３）は、ＮＧＨフレームがＦＥＦスロット内で伝送される従来技術の状況を示す。この場合、ＤＶＢ−Ｔ２フレームは、ＦＥＦ内に圧縮される。
【００４３】
本発明の一実施形態で、ＮＧＨフレームはＦＥＦと同一でないこともあり、ＤＶＢ−Ｔ２フレームと同一でないこともある。このような配列で、ＮＧＨフレームは、ＦＥＦスロットと呼ばれるＦＥＦ部に合せて整列されず、ＮＧＨ信号は全体ＦＥＦを使用する必要がない。ＦＥＦ部内でＮＧＨ信号が伝送される部分は、図１でＮＧＨスロットと呼ばれる。図１に示したように、ＦＥＦ部内のデータはバンドリングされ（時間−領域バンドリング）ＮＧＨフレームを形成する。一般的に、すべてのＮＧＨフレームは同じ数のＯＦＤＭシンボルを有することができ、すべてのフレームは同じ容量を有することができる。一般的に、Ｌ１−Ｐｒｅは、Ｐ１シンボル以後に直ぐ伝送される。（特殊パイロットパターンを有することができる）Ｐ２シンボルは、Ｌ１−ｐｒｅ情報を運搬するのに使用されることができる。一般的に、ただ一つのＰ２シンボルのみで上記運搬に充分である。ＤＶＢ−Ｔ２でＬ１−Ｐｒｅ情報がフレームフォーマットに対する最小の情報を運搬するので、Ｌ１−Ｐｒｅ情報のシグナリングオーバーヘッドは一般的に小さい。Ｌ１−Ｐｒｅ情報を通じてＮＧＨ受信機はＮＧＨ物理スロットの開始／終了が分かり、次のＮＧＨフレームがスケジューリングされる時とその期間に対して分かる。これはＬ１−Ｃｏｎｆｉｇ及びＬ１−Ｄｙｎａｍｉｃの感知を簡素化することができる（Ｌ１−Ｐｒｅは、次のＬ１−Ｃｏｎｆｉｇ及びＬ１−ｄｙｎａｍｉｃに対するポインタを含む）。一般的に、Ｌ１−Ｃｏｎｆｉｇ及びＬ１−ｄｙｎａｍｉｃは、ＦＥＦ部またはＮＧＨスロットのいずれのＯＦＤＭシンボル位置でも伝送されることができ、ＦＥＦ部またはＮＧＨスロット内に存在しないこともある。
【００４４】
図３に示したように、相異なるＴ２ ＲＦチャンネル上のＦＥＦ部に含まれたデータはバンドリングされ（周波数領域バンドリング）、論理ＮＧＨチャンネルの容量を増加させることができる。しかしながら、重なるＦＥＦの場合、すなわち一定時間に複数のＲＦ上にＦＥＦがある場合に、単一チューナが受信のために使用される時は、上記複数のＲＦ上のＦＥＦのうちの一つのＦＥＦ部に含まれた信号のみが復旧される。各データサービスが単一論理ＮＧＨチャンネルにより提供され、サービスを復旧するのにただ一つのチューナのみを必要とする。次は多重論理ＮＧＨチャンネルの概念に対して説明する。複数の論理ＮＧＨチャンネルが存在する場合、超過オーバーヘッドを発生させることができるＴＦＳ（Time Frequency Slicing）と共に提案されたすべてのサービスをシグナリングする代わりに、一つの論理ＮＧＨチャンネルが主ＮＧＨチャンネル（Primary NGH Channel:ＰＮＣ）として、残りが副ＮＧＨチャンネル（Secondary NGH Channel:ＳＮＣ）として選択されることができる。本発明の一実施形態で、Ｌ１−Ｐｒｅは、どんなＲＦを通じて上記主ＮＧＨチャンネルが運搬されるかに対する情報を含む。Ｌ１−Ｃｏｎｆｉｇは、主チャンネルにマッピングされ、各副チャンネルでの各スーパーフレームの開始にマッピングされる。Ｌ１−Ｄｙｎａｍｉｃは、すべての論理チャンネルにマッピングされることができ、該当論理ＮＧＨチャンネルにより運搬されるサービスに対するシグナリングを含むことができる。上記主ＮＧＨチャンネルは、高速チャンネル転換（ザッピング：zapping）及びチャンネル獲得を提供するために使用され、上記副ＮＧＨチャンネルのうちの一つで伝送されるサービスに対するエントリポイント（entry point）として考慮される。受信機がただ一つのチューナのみを有する場合、一つの論理ＮＧＨチャンネルに割り当てられた帯域幅は、一般的にＴ２ ＲＦチャンネルの帯域幅より大きくない。
【００４５】
本発明の実施形態で、ＦＥＦはバンドリングされることができ、次のような多様なシナリオで信号化されることができる。
【００４６】
（１）まず、単一Ｔ２ ＲＦチャンネルが使用されることができ、いずれのＴ２スーパーフレーム構造も使用されることができる（図２）。または、多重Ｔ２ ＲＦチャンネルが使用されることができる。この場合、次のような多様なオプションが存在することができる。（２）多重Ｔ２ ＲＦチャンネルのすべてのＲＦチャンネルが同一のＴ２スーパーフレーム構造を有し、単一論理ＮＧＨチャンネルが提供されることができる（図３）。または（３）多重Ｔ２ ＲＦチャンネルのすべてのＲＦチャンネルが同一のＴ２スーパーフレーム構造を有し、複数の多重論理ＮＧＨチャンネルが提供されることができる（図４）。それぞれの場合、Ｔ２フレーム長さ及びＦＥＦ区間は流動的であり、ＮＧＨチャンネルの最適構成を提供するように構成されることができる。
【００４７】
追加代案として、（４）相異なるＴ２スーパーフレーム構造が複数のＴ２ ＲＦチャンネル及び複数の論理ＮＧＨチャンネル間に提供されることができる（図６〜図９）。この場合、Ｔ２スーパーフレームの時間シフト（time shift）を通じて論理チャンネルに対する自由度を獲得することができる。Ｔ２伝送と関係がないＮＧＨ信号のみを伝送する場合、ＮＧＨスロットが自由に選択されることができ、またＮＧＨ信号内にＦＥＦ部分が挿入されることができる。
【００４８】
図２は、単一Ｔ２ ＲＦチャンネルの場合を示す。この場合、ＦＥＦバンドリングは時間領域のみで動作する。この場合、既存のＴ２信号上での制約事項が存在しないことがある。
【００４９】
図３のような多重Ｔ２ ＲＦチャンネルの場合、すべてのＴ２ ＲＦ及び単一論理ＮＧＨチャンネルでの同一のＴ２スーパーフレーム構造を有しており、この場合が多重Ｔ２ ＲＦチャンネルにかけた、周波数領域を考慮したＦＥＦバンドリングに対するもっとも簡単なシナリオである。単一論理ＮＧＨチャンネルでのすべてのＴ２ ＲＦチャンネルをバンドリングするために、次の＜数式１＞のような条件を満さなければならない。
【００５０】
【数１】
0005940094.tif 000002
【００５１】
ここで、ＴＳＷは、新たな周波数をチューニングするために受信機が必要とする時間を示す。ＮＲＦはＲＦの個数を示し、ＴＳＬＯＴ及びＴＦＥＦは、それぞれＳＬＯＴの長さ（時間）及びＦＥＦの長さ（時間）を示す。ＦＥＦ_ＩＮＴＥＲＶＡＬは、二つのＦＥＦ間のＴ２フレームの個数、ＴＦはＴ２フレームの長さ（時間）を示す。最大論理ＮＧＨチャンネル容量（ビット伝送率）は、上記式で等号が成立する場合に達成されることができる。
【００５２】
多重Ｔ２ ＲＦチャンネルの場合、すべてのＴ２ ＲＦ及び多重論理ＮＧＨチャンネルでの同一のＴ２スーパーフレーム構造として、以前の条件が満たされない場合、いくつかの区間の間に２個のＮＧＨスロットがＴ２ ＲＦチャンネルに同時に割り当てられるか、周波数間にスイッチングする時間が充分でないことを推論することができる。受信機でただ一つのチューナのみを要求するために、本発明の実施形態は、多重論理ＮＧＨチャンネルを採択することができる。多重論理チャンネルの場合、以前の条件が下記＜数式２＞のようにアップデートされる。
【００５３】
【数２】
0005940094.tif 000003
【００５４】
ここで、ＮＬＮＣは、論理ＮＧＨチャンネルの数を示す（１≦ＮＬＮＣ≦ＮＲＦ）。
【００５５】
図５は、すべてのＴ２ ＲＦ及び多重論理ＮＧＨチャンネルで同一のＴ２スーパーフレーム構造を有する多重Ｔ２ ＲＦチャンネルの場合を示す。
【００５６】
図６は、すべてのＴ２ ＲＦ及び多重論理ＮＧＨチャンネルで相異なるＴ２スーパーフレーム構造を有する多重Ｔ２ ＲＦチャンネルの場合を示す。
【００５７】
より一般的な場合、ＮＧＨパーセント帯域幅（ＢＷ％）は、相異なるスーパーフレーム構造（例えば、Ｔ２フレーム長さ、ＦＥＦ区間及びＦＥＦの長さ）及び非同期化されたＴ２ ＲＦを有するＴ２ ＲＦチャンネル上で相異なることができる。この場合、図６に示したように、多重論理ＮＧＨチャンネルの数（ＮＬＮＣ）は、図６で重なるＦＥＦの最大数、例えば、ＮＬＮＣ＝３で計算されることができる。
【００５８】
図７は、図６のようにＴ２ ＲＦチャンネル及び多重論理ＮＧＨチャンネルのうちで相異なるＴ２スーパーフレーム構造を有する多重Ｔ２ ＲＦチャンネルを示す。一般的に、割り当てられる第１の論理ＮＧＨチャンネルは、ＰＮＣ（７２）である。ＰＮＣの主要機能は、高速チャンネル転換（zapping）を可能にすることであるので、ＰＮＣは、最大容量を有した論理チャンネルであり得る。これはまたＰＮＣの追加オーバーヘッド補償を助けることができる。図７の例で、ＦＥＦは、周波数ダイバーシティ利得が最大になる方法で割り当てられる（ＰＮＣはすべてのＲＦ周波数を使用することができる）。他の実施形態で、ＦＥＦを割り当てるために他の基準が使用されることができるが、例えば、ＰＮＣに対して増加された堅固性（例えば、より低い周波数にＰＮＣを割り当て）が他の基準となることができ、チャンネル間のスイッチングを避けるために、ＰＮＣに対しては単一ＲＦに割り当てることができる。また、連続するＦＥＦ間のより少ない周波数差異またはオーバーヘッドなどが他の基準となることができる。本発明の一実施形態で、ＰＮＣが割り当てられた後、残っているＦＥＦは、ＳＮＣに割り当てられる。複数の組み合わせがＲＦ搬送波間の最小スイッチング時間が保障される限り可能である。図７の例で、ＦＥＦは、論理ＮＧＨチャンネル間のビット伝送率を平均化するために、そして周波数ホッピングによる周波数ダイバーシティを増加させるために連結されることができ、他の基準がＰＮＣ割り当てと類似の方法で導入されることができる。
【００５９】
以前の例で、相異なるＲＦチャンネル上のＦＥＦは主に同時に発生する（すなわち、 ＮＬＮＣ→ＮＲＦ）。本発明の一実施形態で、Ｔ２スーパーフレームは、論理ＮＧＨチャンネルの数が減少するようにシフトされることができ、これは各論理ＮＧＨチャンネルの容量を増加させることができる。各ＮＧＨの容量を増加させることは、統計的多重化の潜在利得を増加させることができる。各ＲＦからのスーパーフレームフォーマットが知られているため、設定された多重論理ＮＧＨチャンネルの周期が計算されることができる。上記周期（Ｔｂ）は、最適化アルゴリズムが上記期間と動作することができる以後から有用である。
【００６０】
図８は、本発明の一実施形態によるＦＥＦをバンドリングするアルゴリズムを示す。この場合は、複数のＴ２ ＲＦチャンネル及び複数の論理ＮＧＨチャンネルが存在し、複数のＴ２ ＲＦチャンネルは相異なるＴ２スーパーフレーム構造を有する。各ＲＦに適用されるシフト値を得るために、次のようなアルゴリズムが使用されることができる。
【００６１】
（１）保護時間が各ＦＥＦ前に挿入される。このような保護時間は、ＲＦ周波数をスイッチングした後に変換されたＲＦチャンネル上に伝送されるデータのデコーディングを開始するために、チューナが必要とする時間であるチューニング時間を考慮して決定される。このような保護時間は、図８でブラックボックスで表現される。
【００６２】
（２）ＲＦチャンネルを最も長いＦＥＦから最も短いＦＥＦまでＦＥＦの長さによって分類する。（ＦＥＦの長さが同一である場合、最大のＦＥＦ_ＩＮＴＥＲＶＡＬを有するＲＦが最初に位置する）。
【００６３】
（３）与えられたＦＥＦ（例えば、スーパーフレームで第１のＦＥＦ）に対して、（ｉ−１）番目のＲＦのＦＥＦ以後に与えられた上記ＦＥＦが伝送されるように各ｉ番目のＲＦがシフトされる。
【００６４】
（４）重なるＦＥＦ（ＮＬＮＣ（ｔ））の数を獲得する。アルゴリズムの第１のポイントで、ＮＬＮＣ（ｔ）の最大値はＮＬＮＣで示し、重なるＦＥＦ（ＮＯＶ）が獲得される。ＮＯＶ個の重なるＦＥＦは、長いＦＥＦから短いＦＥＦで整列される。上記整列されたＦＥＦのうち、最も長いＮＯＶ−１個のＦＥＦをシフティングするために検討する。上記シフティングは、シフティング後のｍａｘ（ＮＬＮＣ（ｔ））がシフティング前のｍａｘ（ＮＬＮＣ （ｔ））より減少する場合に遂行される。ＮＬＮＣが減少する場合、次の段階は上記アルゴリズムでの第１のポイントに進行され、そうでない場合、上記アルゴリズムの最後に到達する。すなわち、時間軸上で重なるＦＥＦの個数を計算し、この計算された重複ＦＥＦの個数が小さくなるように最も短いＦＥＦを除外した残りのＦＥＦをシフティングし、シフティングされたＦＥＦのうちで最も短いＦＥＦを除外した残りのＦＥＦを再度シフティングする過程を反復する。
【００６５】
結果的にＦＥＦは、図９に示したように論理ＮＧＨチャンネルにマッピングされる。上述したように、ＦＥＦがＰＮＣ及びＳＮＣにマッピングされることが分かる。適用されたシフティングにより、各種隣接したＦＥＦが同じＰＮＣ／ＳＮＣにマッピングされることができる。これはＦＥＦが各ＰＮＣ／ＳＮＣに対してバーストとして伝送／受信されることができるので電力消費面で有利である。本発明の一実施形態で、探索されたＲＦ周波数の数を最大としながら、論理ＮＧＨチャンネル間のビット伝送率差異が最小となるように、ＦＥＦが論理ＮＧＨチャンネルに割り当てられる（例えば、高い周波数ダイバーシティ）。最後のＦＥＦマッピングは、ＰＮＣで伝送されるＬ１−Ｃｏｎｆｉｇを通じて信号化、伝送されることができる。
【００６６】
図１０は、ＮＧＨフレームが定義される方法を示す。この例で、ＮＧＨフレームは、一つのＮＧＨスーパーフレーム内ですべてのＮＧＨフレームに対して一定の、それぞれのＮＧＨフレーム内のＯＦＤＭシンボルの数で定義される。ＮＧＨフレーム容量は、ＮＧＨフレームごとに一定に維持されることができるが、伝送のバースト（bursty）特性により、瞬間的な処理量に変動がある可能性がある。しかしながら、相異なる論理ＮＧＨチャンネルは、フレーム当たり相異なる数のＯＦＤＭシンボルを有することができる。ＰＮＣでは、Ｌ１−ｃｏｎｆｉｇ及びＬ１−Ｄｙｎａｍｉｃが一般的に各ＮＧＨフレームの開始で伝送される反面、ＳＮＣにはスーパーフレームの第１のＮＧＨフレームの開始でＬ１−ＣｏｎｆｉｇとＬ１−Ｄｙｎａｍｉｃが伝送され、スーパーフレームの第１のＮＧＨフレームを除外した残りのＮＧＨフレームの開始ではＬ１−Ｄｙｎａｍｉｃのみが一般的に伝送される。
【００６７】
図１１は、ＮＧＨスーパーフレーム及びＴ２スーパーフレームが整列される方法を示す。ＮＵＭ＿Ｔ２_ＦＲＡＭＥＳ、ＮＵＭ＿ＤＡＴＡ＿ＳＹＭＢＯＬＳ、ＦＥＦ＿ＬＥＮＧＴＨ、またはＦＥＦ_ＩＮＴＥＲＶＡＬの変更は、新たなスーパーフレーム構造を生成する（以下では、スーパーフレーム構造は、ＳＦＳ（Super Frame Structure）と縮約して表現できる。）。ＦＥＦバンドリングは、既存の多重Ｔ２ ＲＦチャンネルの構造に基づいて作用するために、Ｔ２ ＲＦチャンネルの構成が変わる場合、ＮＧＨ構成も変更されなければならず、したがって、ＮＧＨ構成を再構成する必要がある。上記の各再構成は、信号化されすべての受信機に伝送される必要がある。このような速い再構成のために、Ｌ１−Ｐｒｅは、論理ＮＧＨチャンネル（ＰＮＣ及びＳＮＣ）でのＬ１−ｃｏｎｆｉｇ及びＬ１−Ｄｙｎａｍｉｃを許容することができる。このような上記オプションは、受信機がＰＮＣにスイッチングし、ＳＮＣに戻ってくるべきである場合に可能なマイクロカット（micro-cuts）を避けるために、ＳＦＳ（Super Frame Structure）再構成の間に使用されることができる。しかしながら、このような変更は頻繁に発生せず、普通受信機での影響（impact）を最小化するために、遅い時間にスケジューリングされる。したがって、要求される追加シグナリングが無視されることができる。このような発生可能な制限から外れて、ＮＧＨスーパーフレームは自由に定義されることができる。
【００６８】
既存のＴ２シグナリングで、フレーム構造（及びＦＥＦの長さ）を決定するシグナリングフィールドは、Ｌ１−ＰｒｅシグナリングとＬ１−Ｐｏｓｔシグナリングに含まれ、Ｌ１−Ｐｏｓｔ情報は、Ｌ１−Ｃｏｎｆｉｇ情報とＬ１−Ｄｙｎａｍｉｃ情報を含む。ＤＶＢ−Ｔ２伝送システムでのフレーム構造を決定するシグナリングフィールドとしては、Ｌ１−Ｐｒｅを通じて伝送されるＮＵＭ＿Ｔ２_ＦＲＡＭＥＳ（スーパーフレーム当たりＴ２フレームの個数）、ＮＵＭ＿ＤＡＴＡ＿ＳＹＭＢＯＬＳ（Ｔ２フレーム当たりＯＦＤＭシンボルの個数）などがあり、Ｌ１−Ｐｏｓｔを通じて伝送されるＦＥＦ＿ＬＥＮＧＴＨ（ＦＥＦの長さ）、ＦＥＦ_ＩＮＴＥＲＶＡＬ（二つのＦＥＦ間にあるＴ２フレームの個数）などがある。本発明のようにＦＥＦを通じてＮＧＨデータを伝送するためには、上記シグナリングフィールドの一部あるいは全体が変更、追加あるいは削除されなければならない。
【００６９】
図１２は、本発明の一実施形態におけるＬ１−Ｐｒｅに含まれるシグナリング情報の一例を示す。ＮＧＨに対した本発明の一実施形態として図１２に示したように、Ｔ２／ＮＧＨ信号が同一フレーム構造上で多重化され伝送される本発明のフレーム構造下では単一フィールド（すなわち、Ｌ１−Ｐｒｅ）を通してフレーム構造をシグナリングすることが効率的であり得る。これはＦＥＦ間の間隔、あるいはＮＧＨスロット間の間隔及びＮＧＨフレーム当たりＯＦＤＭシンボルの個数などの情報をＬ１−Ｐｒｅを通じて伝送することによりなされることができる。例えば、Ｌ１−Ｐｒｅを通じて伝送されるＮＧＨ_ＳＬＯＴ_ＩＮＴＥＲＶＡＬは、２個の連続するＮＧＨスロット間の間隔を示す。最も長い区間がＦＥＦ_ＩＮＴＥＲＶＡＬ＝２５６であるとき、そして最も長いフレーム長さが使用される時（２５０ｍｓ）に、最も長い区間が得られることができ、この場合、上記最も長いＮＧＨ_ＳＬＯＴ_ＩＮＴＥＲＶＡＬは６４秒で与えられることができる。ＮＧＨ_ＳＬＯＴは２５０ｍｓで制限される。ＮＧＨフレーム当たりＯＦＤＭシンボルの数も信号化されることができ、上記シンボルの数に対する情報は、Ｌ１−ＰｒｅのＮＵＭ＿ＳＹＭＢＯＬＳ_ＮＧＨ_ＦＲＡＭＥフィールドを通じて伝送されることができる。Ｌ１−Ｐｒｅは、次のＬ１−Ｃｏｎｆｉｇ及びＬ１−Ｄｙｎａｍｉｃの位置（次のＮＧＨフレームの開始位置）を示すことができる。上記位置情報は、初期スキャニングまたはチャンネル転換（zapping）の間のみに必要であり得る。Ｌ１−Ｐｒｅはまた最も近く存在する主論理ＮＧＨチャンネル（ＰＮＣ）のＲＦに対する情報を伝送するのに使用されることができる（ＰＮＣ_ＲＦ_ＦＲＥＱＵＥＮＣＹ）。これを通じて受信機の初期スキャンの時や、チャンネル転換（zapping）時にＬ１−Ｃｏｎｆｉｇの位置を受信機に通報することができる。Ｌ１−Ｃｏｎｆｉｇの位置は、ＰＮＣ／ＳＮＣにマッピングされた所望のサービスのデコーディングのために通報されるべきである。
【００７０】
図１３は、本発明の一実施形態におけるＬ１−Ｃｏｎｆｉｇでのシグナリングの一例を示す。Ｌ１−ｃｏｎｆｉｇでは論理ＮＧＨチャンネルの数（ＮＵＭ＿ＬＮＣ）だけでなく、関連されたＲＦチャンネルの数が示される。Ｌ１−Ｃｏｎｆｉｇでは、各ＲＦに対するＴ２_フレーム／ＮＧＨスロット構造が信号化、伝送される。上記各ＲＦに対するループ内に存在するＮＧＨ_ＳＬＯＴ_ＯＦＦＳＥＴフィールドを通じて各Ｔ２スーパーフレームの第１のＦＥＦ間のシフトを知らせることができる。このようなループは、すべての関連されたＴ２ ＲＦチャンネルのＴ２スーパーフレーム構造が分かるように情報を提供する。第２のループは、ＦＥＦが論理ＮＧＨチャンネルにマッピングされる方法を提示する（一つのサイクルが表示され、スーパーフレーム当たりサイクルの数は整数である）。各ＰＬＰは一つの論理ＮＧＨチャンネルに割り当てられる。この例で、ＮＧＨフレームがＦＥＦと整列されないので、ＦＩＲＳＴ_ＦＲＡＭＥ_ＩＤＸは、第１のＮＧＨスロットでない第１のＮＧＨフレームを示す。ＦＥＦバンドリングが使用されない場合、Ｌ１−Ｃｏｎｆｉｇは、従来技術（ＤＶＢ−Ｔ２など）のシグナリングに近接するように維持され、オーバーヘッドがほとんどないか、全く存在しないことがある。
【００７１】
図１４は、本発明の一実施形態におけるＬ１−Ｄｙｎａｍｉｃでのシグナリング及びインバンド（ｉｎｂａｎｄ）シグナリングの一例を示す。ＲＦ_ＩＤＸフィールドは、Ｌ１−Ｄｙｎａｍｉｃ内にこれ以上必要ない。各物理階層パイプ（ＰＬＰ）は、一つの論理ＮＧＨチャンネルに割り当てられ、この情報は既にＬ１−Ｃｏｎｆｉｇ情報を通じて伝送されたからである。またＲＦ_ＩＤＸはＳＬＯＴ_ＩＤＸにより置き換えられる。ＳＬＯＴ_ＩＤＸは、受信機がＦＥＦ_バンドリングシーケンスの位置を分かるようにして将来に各論理ＮＧＨチャンネルにより使用されるスロットが分かる。相異なる成分が相異なるＰＬＰにマッピングされるＳＮＣの場合、一つのチューナのみを有した受信機での受信のために、ＰＬＰの全体セットが同じ論理ＮＧＨチャンネルにマッピングされなければならない。
【００７２】
図１５は、本発明の一実施形態における受信機の動作を示すフローチャートである。図１５は、論理ＮＧＨチャンネル及びそれらの構造を発見する上記受信機での動作を示す。この過程は、ターゲット論理ＮＧＨチャンネルの構造が知られなかったり、変更中である初期スキャニングまたはチャンネル転換（zapping）間に遂行されることができる。
【００７３】
図１５を参照すると、受信機は、ステップ１５０１で受信された信号を通じてＰ１シンボルを探索し、Ｐ１をデコーディングして上記フレームがＮＧＨ信号であるかが分かる。一例でＰ１シンボルの３ビットで構成されたＳ１フィールドで、特定値を有すると、現在Ｐ１が属しているＦＥＦがＮＧＨ信号を伝送しているかが分かる。ここで、Ｐ１を通じて受信機の時間及び周波数同期（Time and Frequency synchronization）、フレーム境界に対する同期を獲得する。仮に、Ｐ１を通じてＮＧＨ信号でないと判断する場合、受信機はステップ１５０１に帰還する。しかしながら、Ｐ１がＮＧＨ信号であると判断する場合、受信機はステップ１５０５でＮＧＨ信号を通じてＮＧＨ専用チャンネルであるかを判断する。仮に、Ｔ２信号とＮＧＨ信号が共に伝送されず、ＮＧＨ信号のみが伝送されるＮＧＨ専用チャンネルである場合、受信機はステップ１５２１に進行して論理ＮＧＨチャンネルを発見する。ＮＧＨ専用チャンネルである場合、Ｔ２信号が共に伝送されず、すべてのチャンネルがＮＧＨデータを有しているので、論理ＮＧＨチャンネルという表現を使用せず、ＮＧＨチャンネルのみで表示することができる。しかしながら、ＮＧＨ専用チャンネルでない場合、受信機はステップ１５０７でＬ１−Ｐｒｅをデコーディングし、ステップ１５０９でＰＮＣが存在するＲＦ位置であるＰＮＣ_ＲＦ_ＦＲＥＱが現在周波数であるかを判断する。すなわち、現在周波数にＰＮＣが存在するか否かを把握する。仮に、ＰＮＣ_ＲＦ_ＦＲＥＱが現在周波数でない場合、受信機は現在周波数をＰＮＣ_ＲＦ_ＦＲＥＱに設定した後、ステップ１５０１に帰還する。すなわち、ＰＮＣが存在するＲＦ信号を受信するために、現在周波数をＰＮＣ_ＲＦ_ＦＲＥＱに設定し、上記ＲＦ信号を受信するようにする。
【００７４】
しかしながら、ステップ１５０９でＰＮＣ_ＲＦ_ＦＲＥＱが現在周波数である場合、受信機はステップ１５１３でＬ１−Ｃｏｎｆｉｇの開始を待機する。Ｌ１−Ｃｏｎｆｉｇが開始されると、受信機はステップ１５１５、１５１９を通してＬ１−Ｃｏｎｆｉｇ、Ｌ１−Ｄｙｎａｍｉｃを順にデコーディングし、ステップ１５１９で論理ＮＧＨチャンネルの構成に対する情報（例えば、ＮＧＨ_ＳＬＯＴ_ＩＮＴＥＲＶＡＬ、ＮＵＭ＿ＳＹＭＢＯＬＳ_ＳＬＯＴ、ＮＧＨ_ＳＬＯＴ_ＯＦＦＳＥＴ、ＬＮＣ_ＳＬＯＴ_ＰＥＲＩＯＤ、ＲＦ_ＩＤＸなど）を獲得した後、ステップ１５２１で所望のサービスが伝送される（論理）ＮＧＨチャンネルを検索する。
【００７５】
図１６は、本発明の一実施形態によるネットワーク及び送信機の構造を示す。図１６のネットワーク及び送信機の構造は、大きくＴ２ネットワーク１６１０、ＦＥＦエージェント１６２０及びＮＧＨネットワーク１６３０で構成されており、具現時にはＦＥＦエージェントはＮＧＨネットワークまたはＴ２ネットワーク上の別途のプロセッサや既存プロセッサに含まれて具現されることができる。また物理的にはＮＧＨネットワークは、既存のＴ２ネットワークに結合され一つの物理的客体で構成されることができる。図１６のＴ２ネットワーク１６１０は、既存のＴ２ネットワーク及び送信機の構造とあまり差異がないので説明を省略する。
【００７６】
本実施形態で、少なくとも２個の新たな構成要素であるＦＥＦバンドラ１６２２及びＦＥＦ分配器１６２４が導入される。ＦＥＦバンドラ１６２２は、論理ＮＧＨチャンネルを生成することができ、ＦＥＦを論理ＮＧＨチャンネルに割り当てることができる。ＦＥＦバンドラ１６２２は、物理スロットを本発明の実施形態によって論理チャンネルに割り当てることができる。ＦＥＦバンドラ１６２２の入力は、Ｔ２ネットワーク１６１０のＴ２ ＲＦチャンネルで使用されるスーパーフレーム構成であり得る。ＦＥＦバンドラ１６２２は、帯域幅割り当てがＦＥＦエージェント１６２０により遂行されるから、少なくとも一つのＮＧＨネットワーク１６３０に連結されることができ、多重ＮＧＨネットワークに連結されることができる。論理チャンネルが定義されると、ＦＥＦバンドラ１６２２は、ＮＧＨゲートウェイ１６３２に論理チャンネルの数、各ビットの伝送率、及び各フレーム期間を通報することができ、これは物理スロットが各論理チャンネル、各タイミングなどに割り当てられるようにする。すなわち、ＦＥＦバンドラは、論理ＮＧＨチャンネルを生成するための情報を収集し、収集された情報から論理ＮＧＨチャンネルを生成する役割を遂行する。
【００７７】
本発明の一実施形態における図１６に示したように、ＦＥＦ分配器１６２４は、一般的にすべてのＮＧＨスロットを受信し、ＦＥＦ部分の残りをナル（null）データでパディングすることができ、各ＮＧＨスロットをＴ２変調器（１６１２−１、…、１６１２−ｎ）に送る。ＦＥＦ分配器は、Ｔ２変調器に各ＮＧＨスロットを送るためにパケットを変更することもでき、この場合、Ｔ２−ＭＩ（Modulator Interface）パケットを生成することができる。この例で、ＦＥＦ分配器１６２４への入力は、すべての物理スロットに対応するＩＱサンプル及びＦＥＦバンドラ１６２２により定義されるＮＧＨ論理チャンネル構成である。ＦＥＦ分配器１６２４の出力は、上記入力されたＩＱサンプルを含み、ＦＥＦが完全に使用されない場合、変調された物理スロットを伝送すべきである変調器を扱うのに必要なシグナリング及びパディングセル（周波数軸、時間軸を考慮したＯＦＤＭリソースの基本単位）を追加するＴ２−ＭＩパケットであり得る。Ｔ２−ＭＩパケットは、Ｔ２分配ネットワーク１６１４に伝送されることができる。この例で、ＮＧＨ ＢＢ変調器１６３４−１、…、１６３４−ｎは、ＢＢ ＮＧＨ信号を生成し、ＮＧＨ変調器１６３６−１、…、１６３６−ｎは、ＮＧＨ専用のＲＦチャンネルで伝送されるＲＦＮＧＨ信号を生成する。これはＦＥＦ ＩＱセルを該当周波数にアップリンク変換するＴ２変調器１６１２−１、…、１６１２−ｎの一部を再使用できるようにする。これは、特にＮＧＨ信号がＦＥＦ部分で伝送される場合、ＮＧＨネットワークの費用が減少するようにすることができる。
【００７８】
図１７及び図１８は、本発明の一実施形態におけるリピータ（中継器：repeater）、ギャップフィラー（gap filler）あるいは受信機の実施形態を示す。既存の固定の受信機に対して、Ｔ２信号は、一般的に屋上アンテナからより良好な受信状態で受信されることができるため、カバレッジが向上する必要がある状況（例えば、室内、トンネル、公共交通など）で主にＴ２信号を増幅することは電力の浪費である。本発明の一実施形態で、反復される信号は、ＮＧＨ信号のみである、潜在的にはるかに効率的な方式が提供される。これは上記リピータが論理ＮＧＨチャンネルに基づいて動作する場合に達成されることができる。論理チャンネルのＮＧＨスロットは、単一Ｔ２信号のＦＥＦ部分よりも頻繁に発生することができるため、上記リピータは（バースト間のより少ないギャップを有して）より連続的に動作することができる。１≦ＮＬＮＣ≦ＮＲＦであるので（すなわち、論理ＮＧＨチャンネル当たり一つのチューナ）、各リピータが必要とするチューナの数は減少することができる。図１７に示したように、追加モジュール（論理ＮＧＨチャンネル選択器）は反復される必要がある各論理ＮＧＨチャンネルに関連したＬ１シグナリングを抽出することができる。Ｌ１シグナリングは、論理ＮＧＨチャンネルを形成するＦＥＦ間でスイッチングのために使用される。独立的増幅及び伝送ＲＦチェーンは、反復される各論理ＮＧＨチャンネルのために要求されることができる。図１８に示したように、より進歩したリピータの場合、ＮＧＨ信号は受信機に伝送される前にデコーディングされることができる（いわゆる、デコーディング、増幅、及び伝送方式と呼ばれる）。しかしながら、上記信号をデコーディングすることは、より大きい遅延を発生させるので、復旧されたＮＧＨ信号は、干渉を避けるために相異なる周波数で元来ＲＦチャンネルに伝送されることができる。論理ＮＧＨチャンネルの時間的重複に関連して、上述した同じ理由に対して、各ＮＧＨチャンネルは異なる周波数に置き換えなければならない。ＮＧＨ信号が伝送されるＦＥＦが一つのＲＦのみに伝送されるとすれば、複数のＲＦチャンネル選択器の代わりに、単一のＲＦチャンネル選択器だけで充分である。
【００７９】
図示しないが、図１７、１８に示したリピータ、ギャップフィラーの構造で、増幅及び伝送部、ＲＦ結合器及びアンテナを除外した場合の本発明の構造の下に伝送される信号の受信のための受信機の構造である。すなわち、論理ＮＧＨチャンネル選択器を通じてＮＧＨ信号が伝送されるＦＥＦに対する情報を獲得するようになり、これを通じてＲＦチャンネル選択器を制御してＦＥＦが伝送されるＲＦチャンネルを選択するようになり、図１８に一部示したデコーディング部を通じて、ＦＥＦを通じて伝送されるＮＧＨ信号を復号して最終的にＮＧＨ信号を獲得するようになる。図示しないが、ＮＧＨ信号が伝送されるＦＥＦが一つのＲＦのみに伝送されるとすれば、複数のＲＦチャンネル選択器の代わりに、単一のＲＦチャンネル選択器だけで充分である。
【００８０】
上述したように、ＦＥＦバンドリングは、時間領域及び周波数領域の両方でＦＥＦを共に縛ることができ、これは次のような利点を有する。単一ＲＦの場合、ＦＥＦの長さとＮＧＨフレーム期間がお互いに独立的であるため、ＦＥＦバンドリングは、Ｌ１オーバーヘッドの減少に役に立つことができ、時間ダイバーシティ面で利得を提供することができる。多重ＲＦの場合、Ｌ１ＣｏｎｆｉｇがＰＮＣのみで伝送されることができ（ＳＮＣの場合、スーパーフレームの第１のフレームのみで伝送）、ＦＥＦの長さとＮＧＨフレーム期間が独立的であり得るため、ＦＥＦバンドリングはＬ１オーバーヘッドの減少に役に立つことができる。ＦＥＦバンドリングは、ザッピング時間（zapping time）を減らすことができ、単一大容量ＮＧＨチャンネルによりサービスのマッピングが簡素化されることができ、これによってより多くのサービスが多重化され、結局統計的多重化利得が増加する。ＦＥＦバンドリングが多重ＲＦ搬送波全般にかけて作用する場合、周波数ホッピングは室内または低い移動性のシナリオの場合に４ｄＢまたはそれ以上の利得を有する追加周波数ダイバーシティを有することができる。本発明のようなＦＥＦバンドリングは、既存のＴ２信号にいかなる制約も加えず（例えば、最小ＦＥＦの長さ／ＮＧＨ帯域幅）、Ｔ２受信機の性能（例えば、ザッピング時間）を低下させない。Ｔ２ ＲＦ信号間に同期化が不要であるので、ＦＥＦバンドリングは、Ｔ２ ＲＦが相異なる放送局により動作する場合にも使用されることができ、Ｔ２ ＲＦは相異なる場所から伝送されることができる。
【００８１】
本発明の一実施形態で、既に説明された実施形態の一部側面とは異なるシグナリングに対する他の接近方法が説明される。
【００８２】
論理ＮＧＨチャンネルの概念は、一般的にＤＶＢシステムマルチプルレックス内で利用可能な物理リソース上にマッピングされる論理フレームを含む論理ＮＧＨチャンネル（ＬＮＣs）を定義する。上記物理リソースは、追加物理スロットと呼ばれ、上記追加物理スロットのそれぞれは、ＲＦ周波数での時間スロットであり、それぞれの帯域幅を有する。そして、一つのＲＦ周波数は、上記時間スロット及び帯域幅の期間面で自身の構成を有するはずである。相異なる構成は、一つのＲＦ周波数で異なるＲＦ周波数に適用されることができる。ＬＮＣは物理リソースにマッピングされることができ、その過程はスケジューリングとして知られている。このようなマッピングは、特定の場合に静的であるが、一般的に動的である。静的である場合では、例えば、上記時間スロット期間及び帯域幅の同じ構成がすべてのＲＦ周波数に対して適用され、ＲＦ周波数のスロットが同期化される、すなわち、定時に整列される場合である。
【００８３】
ＬＮＣの追加物理スロット（例えば、物理リソース）へのこのような動的マッピングは、Ｌ１シグナリングで、第１のシーケンスの物理スロットを含むことができるＬＮＣに関する情報により信号化されることができる。Ｌ１シグナリングは、一般的に２個の部分、Ｌ１−Ｐｒｅ（例えば、一般的に固定された長さ、すなわち、固定されたフィールドサイズ）及びＬ１−Ｐｏｓｔ（一般的に可変的な長さ）でなされ、別途のシグナリング領域を通じて伝送されることができる。この場合、アウトオブバンド（out-of-band）シグナリングあるいは帯域外形態のシグナリングと呼ばれることもある。また、インバンド（in-band）シグナリング、すなわち現在フレームのデータＰＬＰ内に含まれて伝送されるシグナリング情報を通じて次のフレームでの所望のＰＬＰのシグナリングに関する動的情報のみを伝送することができる。一般的に上記のようにデータと共にシグナリングデータを送る場合をインバンド（in-band）シグナリングあるいは帯域内形態のシグナリングと呼ぶ。
【００８４】
Ｌ１−Ｐｒｅ部分は、与えられたスーパーフレームに対して長さ及び値が固定される。本発明の一実施形態で、論理フレームはスロットに動的にマッピングされることができ、Ｌ１−ｐｒｅの固定的な長さは、保存されることができるが、一部マッピング関連フィールドの値は変わることができる。本発明の一実施形態で、受信機はＬ１−Ｐｒｅがスーパーフレームの一つのフレームから他のフレームへの単純な反復とは思わず、一部フィールドが多様であり得ると判断する。Ｌ１−Ｐｒｅを堅く維持するためのデコーディングに対して、本発明の一実施形態で、ソフトデコーディング入力は、固定的な部分が物理階層スロットのシーケンス及び／またはスーパーフレームに対して知られた状態を有することを指示する値で設定されることができる。例えば、上記固定的な部分は、必要な場合、上記可変的な部分のより良好なデコーディング性能を保証することができる無限大で設定されたログ尤度（Log Likelihood Ratio:ＬＬＲ）値を有することができる。
【００８５】
本発明の一実施形態で、シグナリングに対する他の接近方法は、論理ＮＧＨフレーム（Logical NGH Frame：ＬＮＦ）であり得る論理フレームの開始をシグナリングするものである。上述したように、Ｌ１−Ｐｒｅ部分は一部フィールドに対して可変的な値を有することができ、本発明の一実施形態で、マッピングに関するシグナリングは、本発明の他の実施形態で遂行されたように部分的にＬ１−Ｐｒｅ及び部分的に１−ｄｙｎａｍｉｃの代わりにＬ１−Ｐｒｅで遂行されることができる。別途のシグナリング領域でないデータ領域、すなわち物理階層パイプ（Physical Layer Pipes:ＰＬＰ）であり得るデータストリーム内で運搬されるシグナリングをインバンドシグナリングとし、上記インバンドシグナリングは、Ｌ１−Ｐｒｅシグナリングをそのままコピーして使用することができる。また、インバンドシグナリングを運搬するＰＬＰに関するシグナリングを制限しないことができる。
【００８６】
例えば、論理チャンネルのような第１のシーケンスの物理スロットに関する情報を含むシグナリングが、一般的にＬ１−Ｐｒｅのような各追加物理スロットのプリアンブルの第１の部分及び一般的にＬ１−ＤｙｎａｍｉｃのようなＬ１−Ｐｏｓｔ部分の両方で運搬される本発明の一実施形態では、次のようなシグナリングを含み得る。Ｌ１−Ｐｒｅシグナリングには、Ｌ１−Ｐｒｅ（ａ）とＬ１−ｐｏｓｔ（ｂ）間のセル数を信号化するシグナリング要素Ｌ１_ＯＦＦＳＥＴ_ＴＩＭＥが存在する。Ｌ１−Ｐｏｓｔ（ｂ）がＬ１−Ｐｒｅ（ａ）が存在するＮＧＨスロットでＬ１−Ｐｏｓｔシグナリングが存在しない場合、次の論理フレームに関することである。このようなシグナリング要素で、例えば、０ｘＦＦＦＦはＬ１−Ｐｏｓｔが現在スロットに存在しないことを意味することができる。Ｌ１−Ｐｒｅシグナリングのうちでは、現在ＬＮＣが存在する次のスロットの周波数を意味するＬ１_ＯＦＦＳＥＴ_ＦＲＥＱを有することができる。言い換えれば、これは現在のスロットに伝送されるＬＮＣのフレームを運搬する次のスロットのＲＦ周波数を示す。Ｌ１−ｄｙｎａｍｉｃシグナリングのうちでは、ＬＮＣにマッピングされ信号化されるスロットの数を意味するＬＮＣ_ＷＩＮＤＯＷが存在する。一般的に、これはシステムでのすべてのＬＮＣに対するものである。Ｌ１−Ｄｙｎａｍｉｃシグナリングのうちでは、システムですべてのＬＮＣに対してさらに信号化された最後／以前スロットに対して割り当てられたスロットを指示するシグナリング要素Ｔ_ＤＥＬＴＡを有することができる。インバンドシグナリングは、ＬＮＣにマッピングされ信号化されるスロットの数を信号化するシグナリング要素ＰＬＰ_ＬＮＣ_ＷＩＮＤＯＷを含むことができる。上記インバンドシグナリングは、信号化された最後／以前スロットに対して割り当てられたスロットを指示するシグナリング要素ＰＬＰ_Ｔ_ＤＥＬＴＡを含むことができる。このようなインバンドシグナリング要素は、一般的に与えられたＰＬＰに関連したＬＮＣのみに関する。
【００８７】
シグナリングに対する他の接近方法を使用する本発明の一実施形態で、Ｌ１−Ｐｒｅ部分は、以前の実施形態に関連して説明されたように、Ｌ１_ＯＦＦＳＥＴ_ＴＩＭＥと類似の情報要素を有することができ、これはＬ１−ＯＦＦＳＥＴ_ＮＯＦ_ＣＥＬＬＳと呼ばれることができる。これはＬ１−ＰｒｅとＬ１−Ｐｏｓｔ間のセル数を信号化する。また、０ｘＦＦＦＦは、Ｌ１−Ｐｏｓｔが現在スロットに存在しないことを意味することができる。Ｌ１−Ｐｒｅ部分はＬ１_ＯＦＦＳＥＴ_ＦＲＥＱと類似の情報要素を有することができ、これはＬＮＣ_ＯＦＦＳＥＴ_ＦＲＥＱと呼ばれることができる。これは現在ＬＮＣを運搬する次のスロットの周波数を信号化する。追加で、Ｌ１−Ｐｒｅ部分は現在スロットと現在のＬＮＣのフレームを運搬する次のスロット間の間隔に対して表示する情報要素ＬＮＣ_ＯＦＦＳＥＴ_ＤＥＬＴＡを有することができる。本実施形態で、ＬＮＣ_ＷＩＮＤＯＷ及びＴ_ＤＥＬＴＡ信号は、以前の実施形態と関連して言及したようにＬ１−ｄｙｎに含まれない。これはこれらが一般的に不要であるからである。物理スロットのＬ１−Ｐｒｅ部分でシグナリング要素、例えば、フィールドは同じ現在ＬＮＣ及び次のＬＮＣの開始を運搬する次のスロットの時間及び周波数座標に対するアクセスを受信機に付与する。そして、現在ＬＮＣの動的マッピングは、Ｌ１−Ｐｒｅでスロット単位で信号化され、Ｌ１−Ｄｙｎａｍｉｃでは、一般的に特定シグナリングが要求されない。インバンドシグナリングは、現在ＬＮＣで現在ＰＬＰを運搬する次のスロットの周波数を信号化する情報要素ＰＬＰ_ＬＮＣ_ＯＦＦＳＥＴ_ＦＲＥＱ及びＴ区間での相対的時間を現在ＬＮＣで現在ＰＬＰを運搬する次のスロットで信号化する情報要素ＰＬＰ_ＬＮＣ_ＯＦＦＳＥＴ_ＤＥＬＴＡを含むことができる。上記インバンドシグナリングフィールドの上記シグナリング情報要素は、一般的にＬ１−Ｐｒｅで均等な要素と同一であることができ、一般的に現在ＬＮＣでの各ＰＬＰのみに関連する。一般的に、インバンドシグナリングモードで、受信機はＬ１−Ｐｒｅ部分でシグナリングを継続受信しない。
【００８８】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきものである。
【符号の説明】
【００８９】
１６１０  Ｔ２ネットワーク
１６１２−１〜１６１２−ｎ  Ｔ２変調器
１６１４  Ｔ２分配ネットワーク
１６２０  ＦＥＦエージェント
１６２２  ＦＥＦバンドラ
１６２４  ＦＥＦ分配器
１６３０  ＮＧＨネットワーク
１６３２  ＮＧＨゲートウェイ
１６３４−１〜１６３４−ｎ  ＮＧＨＢＢ変調器
１６３６−１〜１６３６−ｎ  ＮＧＨ変調器
【図６】
0005940094.tif 000004
【図７】
0005940094.tif 000005
【図８】
0005940094.tif 000006
【図１】
0005940094.tif 000007
【図２】
0005940094.tif 000008
【図３】
0005940094.tif 000009
【図４】
0005940094.tif 000010
【図５】
0005940094.tif 000011
【図９】
0005940094.tif 000012
【図１０】
0005940094.tif 000013
【図１１】
0005940094.tif 000014
【図１２】
0005940094.tif 000015
【図１３】
0005940094.tif 000016
【図１４】
0005940094.tif 000017
【図１５】
0005940094.tif 000018
【図１６】
0005940094.tif 000019
【図１７】
0005940094.tif 000020
【図１８】
0005940094.tif 000021